(57)【要約】【課題】パネルに発生する音響ノイズを低減する。【解決手段】複数の放電セルを間に置いて対向して配置される前面基板１０ａおよび背面基板２０ａを有するプラズマディスプレイパネルにおいて、土台となるプレート３０にプラズマディスプレイパネルを取り付ける際に、背面基板２０ａを防振材となる金属ばね３１を介してプレート３０に取り付ける。また、プレート３０を金属からなるハニカム構造とする。【選択図】        図１
2004214097.tif 000002
【特許請求の範囲】
【請求項１】
複数の放電セルを間に置いて対向して配置される前面基板および背面基板を有するプラズマディスプレイパネルにおいてパネルに発生する音響ノイズを低減する音響ノイズ低減方法であって、
土台となるプレートにプラズマディスプレイパネルを取り付ける際に、前記背面基板を防振材を介して前記プレートに取り付けることを特徴とするプラズマディスプレイパネルの音響ノイズ低減方法。
【請求項２】
請求項１記載のプラズマディスプレイパネルの音響ノイズ低減方法において、
前記プレートをハニカム構造とすることを特徴とするプラズマディスプレイパネルの音響ノイズ低減方法。
【請求項３】
複数の放電セルを間に置いて対向して配置される前面基板および背面基板を有するプラズマディスプレイパネルと、このプラズマディスプレイパネルを支持するプレートとからなるプラズマディスプレイパネルユニットにおいて、
前記プラズマディスプレイパネルの前記背面基板と前記プレートとの間に防振材を有することを特徴とするプラズマディスプレイパネルユニット。
【請求項４】
請求項３記載のプラズマディスプレイパネルユニットにおいて、
前記プレートは、ハニカム構造であることを特徴とするプラズマディスプレイパネルユニット。
【発明の詳細な説明】
【０００１】
【発明の属する技術分野】
本発明は、プラズマディスプレイパネルに係り、特にパネルに発生する音響ノイズとプラズマディスプレイパネルを支えるプレートに発生する共振とを低減することができる音響ノイズ低減方法およびプラズマディスプレイパネルユニットに関するものである。
【０００２】
【従来の技術】
マルチメディア時代の到来に伴い、既存のものに比べ細密でかつサイズが大きく、自然色に近い色が表現できるようなディスプレイが要求されている。特に、大型のディスプレイに対しては、現在のＣＲＴ構造やＬＣＤ構造では限界があるので、プラズマディスプレイパネルが次世代のディスプレイとして脚光を浴びている。
【０００３】
プラズマディスプレイパネルは、図４に示すような前面基板１０と背面基板２０とを所定の高さの空間を保って貼り合わせた構造を有する。前面基板１０上には、互いに平行なスキャン電極１１とサステイン電極１２とが形成され、これらを覆うように誘電体層１３と保護膜１４とが積層される。一方、背面基板２０上には、スキャン電極１１およびサステイン電極１２と直交する方向にアドレス電極２１が形成され、アドレス電極２１を含む背面基板全面に誘電体層２２が形成され、この誘電体層２２の上に各放電セル領域を区分するための隔壁２３が形成され、さらに誘電体層２２および隔壁２３の表面に蛍光体２４が塗布される。
【０００４】
以上のプラズマディスプレイパネルの動作について簡単に説明すると、次の通りである。まず、任意の放電セル内のスキャン電極１１とアドレス電極２１との間に駆動電圧を供給すると、スキャン電極１１とアドレス電極２１との間に位置しているセル内部に書込放電が起こる。その後、スキャン電極１１とサステイン電極１２に放電電圧を供給すると、書込放電が起こった放電セル、すなわち選択された放電セル内のスキャン電極１１とサステイン電極１２との間に維持放電が起こってセルの発光が一定時間維持される。
【０００５】
この維持放電が起こったセル内では、電極間の放電により電界が発生して放電ガス中の微量電子が加速され、加速された電子とガス中の中性粒子とが衝突して電子とイオンとに電離し、さらに電離した電子と中性粒子との他の衝突等により、中性粒子がより速く電子とイオンとに電離し、放電ガスがプラズマ状態になると共に、真空紫外線が発生する。このように発生した紫外線が蛍光体２４を励起させて可視光を発生させ、さらに発生した可視光が前面基板１０を通して外部に放射されると、外部で任意のセルの発光、すなわち画像表示を認識することができる。なお、出願人は、出願時までに本発明に関連する先行技術文献を発見することはできなかった。よって、先行技術文献情報を開示していない。
【０００６】
【発明が解決しようとする課題】
従来のプラズマディスプレイパネルでは、前面基板１０の構造と背面基板２０の構造とを別々に作製した後、例えば低融点ガラスからなる封着部材により前面基板１０と背面基板２０とを貼り合わせて封着し、封着したプラズマディスプレイパネルの内部を排気した後、放電ガスを内部に封入している。放電ガスの圧力は、４００Ｔｏｒｒ程度（大気に対して負圧）に設定されている。
【０００７】
しかしながら、封着したパネル内では、前面基板１０に形成した保護膜１４と背面基板２０に形成した隔壁２３とが密着していない密着不全箇所が局所的に存在し、この密着不全箇所では保護膜１４と隔壁２３との間が空くことになる。前述のように、プラズマディスプレイパネルの各電極に電圧を印加すると、電界によるマクスウェル（Ｍａｘｗｅｌｌ  ）の応力により、サステイン電極１２（またはスキャン電極１１）とアドレス電極２１との間に吸引力が働く。したがって、前記密着不全箇所では、吸引力が発生すると保護膜１４と隔壁２３とが密着し、電圧印加がオフになって吸引力がなくなると保護膜１４と隔壁２３とが離れるといった現象が繰り返し発生する。このような現象の発生は前面基板１０と背面基板２０に定在波が発生することを意味し、プラズマディスプレイパネルが振動する音響ノイズとなる。
【０００８】
以上のように、従来のプラズマディスプレイパネルでは、保護膜１４と隔壁２３との密着不全により、パネルに音響ノイズが発生するという問題点があった。従来のプラズマディスプレイパネルでは、放電ガスの圧力を４００Ｔｏｒｒ程度に設定することにより、大気圧でパネル全体を押さえ込むようにしていたが、このような方法ではパネルに発生する音響ノイズを低減するには不十分であった。また、プラズマディスプレイパネルに音響ノイズが発生すると、プラズマディスプレイパネルを支えるプレートが共振するという問題点があった。
【０００９】
本発明は、上記課題を解決するためになされたもので、パネルに発生する音響ノイズとプレートに発生する共振とを低減することができる音響ノイズ低減方法およびプラズマディスプレイパネルユニットを提供することを目的とする。
【００１０】
【課題を解決するための手段】
本発明は、複数の放電セルを間に置いて対向して配置される前面基板および背面基板を有するプラズマディスプレイパネルにおいてパネルに発生する音響ノイズを低減する音響ノイズ低減方法であって、土台となるプレートにプラズマディスプレイパネルを取り付ける際に、前記背面基板を防振材を介して前記プレートに取り付けるようにしたものである。プラズマディスプレイパネルの背面基板を防振材を介してプレートに取り付けることにより、前面基板に形成した保護膜と背面基板に形成した隔壁との密着不全により発生する振動を防振材で吸収することができる。防振材の例としては、金属ばね、空気ばね、防振ゴムあるいはフェルトなどがある。
また、本発明のプラズマディスプレイパネルの音響ノイズ低減方法の１構成例は、前記プレートをハニカム構造としたものである。プレートをハニカム構造とすることにより、プレートの強度を増して、共振しにくくすることができる。
また、本発明は、複数の放電セルを間に置いて対向して配置される前面基板および背面基板を有するプラズマディスプレイパネルと、このプラズマディスプレイパネルを支持するプレートとからなるプラズマディスプレイパネルユニットにおいて、前記プラズマディスプレイパネルの前記背面基板と前記プレートとの間に防振材を有するものである。
また、本発明のプラズマディスプレイパネルユニットの１構成例において、前記プレートは、ハニカム構造である。
【００１１】
【発明の実施の形態】
［第１の実施の形態］
以下、本発明の実施の形態について図面を参照して詳細に説明する。図１は本発明の第１の実施の形態となるプラズマディスプレイパネルユニットの構造を示す断面図である。例えばガラスからなる前面基板（Ｆｒｏｎｔ−Ｐｌａｔｅ）１０ａ上には、互いに平行なスキャン電極１１とサステイン電極１２とが形成され、これらを覆うように誘電体層１３と保護膜１４とが積層される。スキャン電極１１とサステイン電極１２とは、それぞれ透明電極と透明電極より幅の狭い金属バス電極とから構成される。保護膜１４の材料としては酸化マグネシウム（ＭｇＯ）が利用される。
【００１２】
一方、例えばガラスからなる背面基板（Ｂａｃｋ−Ｐｌａｔｅ）２０ａ上には、前面基板１０ａのスキャン電極１１およびサステイン電極１２と直交するようにアドレス電極２１が形成され、アドレス電極２１を含む背面基板全面に誘電体層２２が形成され、この誘電体層２２の上に各放電セル領域を区分するための隔壁（リブ）２３が形成され、さらに誘電体層２２および隔壁２３の表面に蛍光体２４が塗布される。誘電体層１３，２２および隔壁２３の材料としてはガラスが利用される。
【００１３】
以上のような前面基板１０ａの構造と背面基板２０ａの構造とを別々に作製した後、前面基板１０ａの保護膜１４を下にして、前面基板１０ａと背面基板２０ａとを向かい合わせ、例えば低融点ガラスからなる封着部材２５により前面基板１０ａと背面基板２０ａとを貼り合わせて封着する。そして、封着したプラズマディスプレイパネルの内部を排気した後、放電ガスを内部に封入する。こうして、プラズマディスプレイパネルを作製するパネル工程が終了する。
【００１４】
次に、完成したプラズマディスプレイパネルをモジュール等の製品にするアセンブリ工程では、配線用のＦＰＣ（Ｆｌｅｘｉｂｌｅ  Ｐｒｉｎｔｅｄ  Ｃｉｒｃｕｉｔ）とプラズマディスプレイパネルの電極とを異方性導電フィルムを介して接続した後に、プラズマディスプレイパネルを支える土台となる金属プレート３０にパネルを取り付ける。このとき、本実施の形態では、プラズマディスプレイパネルの背面基板２０ａと金属プレート３０との間に防振材（振動吸収体）となる金属ばね３１を複数設ける。金属ばね３１の一端は両面粘着テープあるいは接着剤によって背面基板２０ａに接着され、金属ばね３１の他端も同様にして金属プレート３０に接着される。
【００１５】
プラズマディスプレイパネルを複数の金属ばね３１を介して金属プレート３０に取り付けることにより、前面基板１０ａに形成した保護膜１４と背面基板２０ａに形成した隔壁２３との密着不全により発生する振動を金属ばね３１で吸収して、プラズマディスプレイパネルに発生する音響ノイズを減少させることができる。また、この振動が金属プレート３０に伝わらないようにすることができる。また、外部から衝撃が加えられた場合には、金属プレート３０からプラズマディスプレイパネルに伝わる衝撃を緩和して、プラズマディスプレイパネルを保護することができる。
【００１６】
［第２の実施の形態］
次に、本発明の第２の実施の形態について説明する。図２は本発明の第２の実施の形態となるプラズマディスプレイパネルユニットの構造を示す断面図であり、図１と同一の構成には同一の符号を付してある。本実施の形態は、金属ばね３１の代わりに他の防振材として防振ゴム３１ａを用いたものである。防振ゴム３１ａの上面は両面粘着テープあるいは接着剤によって背面基板２０ａに接着され、防振ゴム３１ａの下面も同様にして金属プレート３０に接着される。なお、他の防振材としてフェルトや空気ばね等を使用してもよい。
【００１７】
［第３の実施の形態］
次に、本発明の第３の実施の形態について説明する。本実施の形態では、第１、第２の実施の形態の金属プレート３０を図３に示すように六角柱が集まってできた形状のハニカム構造とする。金属プレート３０をハニカム構造とすることにより、金属プレート３０の強度を増して、共振しにくくすることができるので、前面基板１０ａに形成した保護膜１４と背面基板２０ａに形成した隔壁２３との密着不全により振動が発生したとしても、金属プレート３０の共振を抑えることができる。
【００１８】
【発明の効果】
本発明によれば、土台となるプレートにプラズマディスプレイパネルを取り付ける際に、背面基板を防振材を介してプレートに取り付けることにより、前面基板に形成した保護膜と背面基板に形成した隔壁との密着不全により発生する振動を防振材で吸収して、プラズマディスプレイパネルに発生する音響ノイズを減少させることができる。また、パネルに発生した振動がプレートに伝わってプレートが共振することを防ぐことができる。また、外部から衝撃が加えられた場合には、プレートからプラズマディスプレイパネルに伝わる衝撃を緩和して、プラズマディスプレイパネルを保護することができる。
【００１９】
また、プレートをハニカム構造とすることにより、プレートの強度を増して、共振しにくくすることができるので、前面基板に形成した保護膜と背面基板に形成した隔壁との密着不全により振動が発生したとしても、プレートの共振を抑えることができる。
【図面の簡単な説明】
【図１】本発明の第１の実施の形態となるプラズマディスプレイパネルユニットの構造を示す断面図である。
【図２】本発明の第２の実施の形態となるプラズマディスプレイパネルユニットの構造を示す断面図である。
【図３】本発明の第３の実施の形態となるプラズマディスプレイパネルユニットの金属プレートの構造を示す斜視図である。
【図４】従来のプラズマディスプレイパネルの構造を示す分解斜視図である。
【符号の説明】
１０ａ…前面基板、１１…スキャン電極、１２…サステイン電極、１３…誘電体層、１４…保護膜、２０ａ…背面基板、２１…アドレス電極、２２…誘電体層、２３…隔壁、２４…蛍光体、２５…封着部材、３０…金属プレート、３１…金属ばね、３１ａ…防振ゴム。
【図１】
2004214097.tif 000003
【図２】
2004214097.tif 000004
【図３】
2004214097.tif 000005
【図４】
2004214097.tif 000006